(57)【特許請求の範囲】
【請求項１】
患者に関する患者情報を、所定の時点における当該患者の状態を示す基準情報と、前記所定の時点より後に生成され時間の経過とともに蓄積されていく時系列情報と、に分類して記憶する記憶手段を備える患者情報表示システムであって、
前記記憶手段には、当該記憶手段に記憶されている各患者情報に対して、当該患者情報を登録した使用者の属性が対応付けられて記憶されており、
前記記憶手段から対象患者の患者情報と当該患者情報に対応付けられている属性とを取得し、前記対象患者の患者情報を、属性毎に基準情報と時系列情報とに領域を分割して表示手段の１画面内に表示させる制御手段を備える患者情報表示システム。
【請求項２】
前記所定の時点は、在宅療養を開始した時点である請求項１に記載の患者情報表示システム。
【請求項３】
前記属性には、患者本人・患者の家族、看護・介護、医療が含まれる請求項１又は２に記載の患者情報表示システム。
【請求項４】
前記１画面内の前記基準情報が表示される領域と前記時系列情報が表示される領域の表示サイズを変更する変更手段を備える請求項１から３のいずれか一項に記載の患者情報表示システム。
【請求項５】
前記１画面内の前記属性毎の領域の表示サイズを変更する第２変更手段を備える請求項１から４のいずれか一項に記載の患者情報表示システム。
【請求項６】
複数の使用者のそれぞれに対して、当該使用者の属性を対応付けて記憶する第２記憶手段と、
各患者の患者情報に対するアクセス可否を示す情報を、属性毎に対応付けて記憶する第３記憶手段と、
を備え、
前記制御手段は、当該患者情報表示システムを使用中の使用者の属性を前記第２記憶手段から取得し、前記取得された属性に対応する前記対象患者のアクセス可否を示す情報を前記第３記憶手段から取得し、前記取得されたアクセス可否を示す情報に基づいて、前記表示手段に表示させる内容を制限する請求項１から５のいずれか一項に記載の患者情報表示システム。
【請求項７】
前記制御手段は、前記対象患者の時系列情報の有無を時間軸に沿って表示させる請求項１から６のいずれか一項に記載の患者情報表示システム。
【請求項８】
前記制御手段は、前記対象患者の時系列情報のうち各項目の最新情報のみを表示させる請求項１から６のいずれか一項に記載の患者情報表示システム。
【請求項９】
患者に関する患者情報を、所定の時点における当該患者の状態を示す基準情報と、前記所定の時点より後に生成され時間の経過とともに蓄積されていく時系列情報と、に分類して記憶する記憶手段を備える患者情報表示システムにおける患者情報表示方法であって、
前記記憶手段には、当該記憶手段に記憶されている各患者情報に対して、当該患者情報を登録した使用者の属性が対応付けられて記憶されており、
前記記憶手段から対象患者の患者情報と当該患者情報に対応付けられている属性とを取得する工程と、
前記対象患者の患者情報を、属性毎に基準情報と時系列情報とに領域を分割して表示手段の１画面内に表示させる工程と、
を含む患者情報表示方法。
【発明の詳細な説明】
【技術分野】
【０００１】
本発明は、患者情報表示システム及び患者情報表示方法に関する。
【背景技術】
【０００２】
近年、医療の分野においては、在宅療養の重要性が増してきている。在宅患者の看護・介護においては、２４時間３６５日の対応が求められるため、診療所、訪問看護・訪問介護事業所、患者の家族等の連携が重要である。
【０００３】
また、患者が過去にどのような疾患を患い、どのような治療を行ったのかが、今後の治療に大きく影響する場合がある。そこで、表示装置に表示された時間軸上で所定の期間の指定入力を受け付け、指定された期間内に患者が診察を受けた電子カルテ情報を検索し、電子カルテ情報から診察部位を抽出し、患者の外観を表す外観画像上の診察部位に対応する位置にマークを重ねて表示する技術が提案されている（特許文献１、特許文献２参照）。
【先行技術文献】
【特許文献】
【０００４】
【特許文献１】特開２０１２−２４７８７９号公報
【特許文献２】特開２０１２−２４７８８０号公報
【発明の概要】
【発明が解決しようとする課題】
【０００５】
ところで、在宅患者のケアを向上するには、患者が在宅療養を開始した時点における患者の状態を示す基準情報（ベースライン情報）と、在宅療養を開始した後に生成された時系列情報（タイムライン情報）の両方を確認する必要がある。在宅療養では、患者に対して医師、看護師、訪問介護員、患者の家族等、属性毎に、患者に対する関わり方が異なる複数のメンバーが存在するため、各情報がどの属性のメンバーから得られたものであるかという点も重要である。
従来は、患者に関する患者情報を基準情報と時系列情報とに分類し、さらに各情報の出所を明らかにしたうえで、１画面内に表示する画面構成は存在しなかった。
【０００６】
本発明は、上記の従来技術における問題に鑑みてなされたものであって、患者情報を認識しやすいように表示することを課題とする。
【課題を解決するための手段】
【０００７】
上記課題を解決するために、請求項１に記載の発明は、患者に関する患者情報を、所定の時点における当該患者の状態を示す基準情報と、前記所定の時点より後に生成され時間の経過とともに蓄積されていく時系列情報と、に分類して記憶する記憶手段を備える患者情報表示システムであって、前記記憶手段には、当該記憶手段に記憶されている各患者情報に対して、当該患者情報を登録した使用者の属性が対応付けられて記憶されており、前記記憶手段から対象患者の患者情報と当該患者情報に対応付けられている属性とを取得し、前記対象患者の患者情報を、属性毎に基準情報と時系列情報とに領域を分割して表示手段の１画面内に表示させる制御手段を備える。
【０００８】
請求項２に記載の発明は、請求項１に記載の患者情報表示システムにおいて、前記所定の時点は、在宅療養を開始した時点である。
【０００９】
請求項３に記載の発明は、請求項１又は２に記載の患者情報表示システムにおいて、前記属性には、患者本人・患者の家族、看護・介護、医療が含まれる。
【００１０】
請求項４に記載の発明は、請求項１から３のいずれか一項に記載の患者情報表示システムにおいて、前記１画面内の前記基準情報が表示される領域と前記時系列情報が表示される領域の表示サイズを変更する変更手段を備える。
【００１１】
請求項５に記載の発明は、請求項１から４のいずれか一項に記載の患者情報表示システムにおいて、前記１画面内の前記属性毎の領域の表示サイズを変更する第２変更手段を備える。
【００１２】
請求項６に記載の発明は、請求項１から５のいずれか一項に記載の患者情報表示システムにおいて、複数の使用者のそれぞれに対して、当該使用者の属性を対応付けて記憶する第２記憶手段と、各患者の患者情報に対するアクセス可否を示す情報を、属性毎に対応付けて記憶する第３記憶手段と、を備え、前記制御手段は、当該患者情報表示システムを使用中の使用者の属性を前記第２記憶手段から取得し、前記取得された属性に対応する前記対象患者のアクセス可否を示す情報を前記第３記憶手段から取得し、前記取得されたアクセス可否を示す情報に基づいて、前記表示手段に表示させる内容を制限する。
【００１３】
請求項７に記載の発明は、請求項１から６のいずれか一項に記載の患者情報表示システムにおいて、前記制御手段は、前記対象患者の時系列情報の有無を時間軸に沿って表示させる。
【００１４】
請求項８に記載の発明は、請求項１から６のいずれか一項に記載の患者情報表示システムにおいて、前記制御手段は、前記対象患者の時系列情報のうち各項目の最新情報のみを表示させる。
【００１５】
請求項９に記載の発明は、患者に関する患者情報を、所定の時点における当該患者の状態を示す基準情報と、前記所定の時点より後に生成され時間の経過とともに蓄積されていく時系列情報と、に分類して記憶する記憶手段を備える患者情報表示システムにおける患者情報表示方法であって、前記記憶手段には、当該記憶手段に記憶されている各患者情報に対して、当該患者情報を登録した使用者の属性が対応付けられて記憶されており、前記記憶手段から対象患者の患者情報と当該患者情報に対応付けられている属性とを取得する工程と、前記対象患者の患者情報を、属性毎に基準情報と時系列情報とに領域を分割して表示手段の１画面内に表示させる工程と、を含む。
【発明の効果】
【００１６】
本発明によれば、患者情報を認識しやすいように表示することができる。
【図面の簡単な説明】
【００１７】
【図１】本発明の実施の形態における在宅療養連携システムのシステム構成図である。
【図２】データ管理装置の機能的構成を示すブロック図である。
【図３】使用者管理テーブルの例を示す図である。
【図４】患者情報テーブルの例を示す図である。
【図５】基礎情報テーブルの例を示す図である。
【図６】ベースラインテーブルの例を示す図である。
【図７】タイムラインテーブルの例を示す図である。
【図８】アクセス制限テーブルの例を示す図である。
【図９】ファイル格納部におけるフォルダー構成を示す図である。
【図１０】患者情報の例を示す図である。
【図１１】使用者端末の機能的構成を示すブロック図である。
【図１２】データ管理装置と使用者端末とにより実行される患者登録処理を示すラダーチャートである。
【図１３】データ管理装置と使用者端末とにより実行される患者情報アップロード処理を示すラダーチャートである。
【図１４】患者リスト画面の表示例である。
【図１５】ファイル管理画面の表示例である。
【図１６】編集画面の表示例である。
【図１７】データ管理装置と使用者端末とにより実行される患者情報参照処理を示すラダーチャートである。
【図１８】患者情報参照画面の表示例である。
【図１９】患者基礎情報画面の表示例である。
【図２０】バイタルサイン画面の表示例である。
【発明を実施するための形態】
【００１８】
以下、図面を参照して、本発明に係る患者情報表示システムの一実施形態について説明する。ただし、発明の範囲は、図示例に限定されない。
【００１９】
〔在宅療養連携システムの構成〕
図１に、本実施の形態における患者情報表示システムとしての在宅療養連携システム１００のシステム構成を示す。
図１に示すように、在宅療養連携システム１００は、地域のデータセンターに設置されたデータ管理装置１０と、在宅療養中の患者やその家族、在宅療養に携わる医療、看護、介護の各施設に属する医師、看護師、訪問介護員等の使用者が使用可能な使用者端末２０と、を備えて構成されている。データ管理装置１０と使用者端末２０とは、通信ネットワークＮを介して接続可能となっている。
【００２０】
データ管理装置１０は、医療情報ＤＢ（Data Base）１６１、ファイル格納部１６２等を備え、各使用者により使用者端末２０から登録された医療情報を蓄積し管理する。データ管理装置１０は、クラウド環境に設けられたクラウドサーバーであってもよい。
【００２１】
使用者端末２０は、各施設内又は在宅療養中の患者宅で使用されるＰＣ（Personal Computer）、タブレット端末、スマートフォン等である。施設としては、主治医が所属する病院や診療所、在宅患者の訪問看護を行う看護師が所属する訪問看護ステーション、在宅患者のケアプランを作成するケアマネージャーや、在宅患者の訪問介護を行う訪問介護員が所属する訪問介護事業所等が挙げられる。
【００２２】
在宅患者の在宅療養に携わる使用者は、使用者端末２０から患者に関する患者情報を登録する。登録された患者情報は、データ管理装置１０に保存され、在宅患者に対して形成されたチーム内のメンバーに公開される。
【００２３】
〔データ管理装置の構成〕
図２に、データ管理装置１０の機能的構成を示す。
図２に示すように、データ管理装置１０は、制御部１１、操作部１２、表示部１３、通信部１４、ＲＡＭ１５、記憶部１６等を備えて構成されており、各部はバス１７により接続されている。
【００２４】
制御部１１は、ＣＰＵ（Central Processing Unit）等から構成され、データ管理装置１０の各部の処理動作を統括的に制御する。具体的には、ＣＰＵは、操作部１２から入力される操作信号又は通信部１４により受信される指示信号に応じて、記憶部１６に記憶されている各種処理プログラムを読み出してＲＡＭ１５に展開し、当該プログラムとの協働により各種処理を行う。
【００２５】
操作部１２は、カーソルキー、文字入力キー及び各種機能キー等を備えたキーボードと、マウス等のポインティングデバイスを備えて構成され、キーボードに対するキー操作やマウス操作により入力された操作信号を制御部１１に出力する。また、操作部１２が、表示部１３に積層されたタッチパネルにより構成され、操作者の指等によるタッチ操作の位置に応じた操作信号を制御部１１に出力することとしてもよい。
【００２６】
表示部１３は、ＬＣＤ（Liquid Crystal Display）等のモニターを備えて構成されており、制御部１１から入力される表示信号の指示に従って、各種画面を表示する。
【００２７】
通信部１４は、ネットワークインターフェース等により構成され、ＬＡＮ（Local Area Network）、ＷＡＮ（Wide Area Network）、インターネット等の通信ネットワークＮを介して接続された外部機器との間でデータの送受信を行う。
【００２８】
ＲＡＭ１５は、制御部１１により実行制御される各種処理において、記憶部１６から読み出された各種プログラム、入力若しくは出力データ及びパラメーター等を一時的に記憶するワークエリアを形成する。
【００２９】
記憶部１６は、ＨＤＤ（Hard Disk Drive）や半導体の不揮発性メモリー等により構成され、各種処理プログラム、当該プログラムの実行に必要なパラメーターやファイル等を記憶している。例えば、記憶部１６には、使用者端末２０に搭載されたＷｅｂブラウザーとＨＴＴＰプロトコルによる通信を行ってＷｅｂブラウザーに各種Ｗｅｂ画面を提供するＷｅｂサーバーとしての機能を実現させるためのＷｅｂサーバープログラムや、Ｗｅｂサーバー上で動作し、Ｗｅｂブラウザーを介して使用者端末２０の使用者に在宅療養連携サービスを提供するためのアプリケーションプログラム等が記憶されている。在宅療養連携サービスとは、在宅患者に対して形成されたチーム内で情報を共有するサービスである。
【００３０】
記憶部１６には、患者に関する患者情報が、所定の時点における患者の状態を示す基準情報（ベースライン情報）と、所定の時点より後に生成され時間の経過とともに蓄積されていく時系列情報（タイムライン情報）と、に分類されて記憶されている。本実施の形態では、所定の時点として、患者が在宅療養を開始した時点を用いる。患者が在宅療養を開始するタイミングとしては、例えば、入院していた患者が退院して在宅患者となった場合や、通院していた患者が在宅患者となった場合等が挙げられる。
【００３１】
基準情報には、例えば、在宅療養開始時の主治医意見書、診療情報提供書（紹介状）、退院サマリー、傷病名、処方等が含まれる。
時系列情報には、在宅療養開始後のバイタルサイン、処方、検査結果、写真・画像、看護記録、介護記録、診療記録（カルテ）、ＳＮＳの情報等が含まれる。
【００３２】
記憶部１６は、医療情報ＤＢ１６１、ファイル格納部１６２を有する。
医療情報ＤＢ１６１は、医療情報を記憶し、管理するためのデータベースである。
医療情報ＤＢ１６１には、使用者管理テーブルＴ１、患者情報テーブルＴ２が含まれる。
【００３３】
図３に、使用者管理テーブルＴ１の例を示す。使用者管理テーブルＴ１は、在宅療養連携システム１００を使用する使用者毎に、使用者に関する情報を管理するためのテーブルである。使用者管理テーブルＴ１には、使用者ＩＤ、パスワード、氏名、属性、施設名、表示用パラメーター等が対応付けられて格納される。すなわち、使用者ＩＤ及び氏名に対して属性を対応付ける使用者管理テーブルＴ１を記憶する記憶部１６は、第２記憶手段として機能する。
使用者ＩＤは、使用者の識別情報である。
パスワードは、使用者がシステムにログインする際の使用者認証に用いられる。
氏名は、使用者の氏名である。
属性は、使用者の属性であり、本実施の形態では、「患者本人・患者の家族（以下、患者・家族と略す。）」、「看護・介護」、「医療」の三つに分けられている。
施設名は、使用者が所属する医療施設の名称である。なお、施設名の登録は任意であり、例えば、使用者が患者又は患者の家族である場合には、施設名は空欄である。
表示用パラメーターは、患者情報参照画面２３４（図１８参照）を表示する際の各領域の表示サイズを決定するためのパラメーターである。
【００３４】
図４に、患者情報テーブルＴ２の例を示す。患者情報テーブルＴ２は、患者毎に、患者に関する患者情報を管理するためのテーブルである。患者情報テーブルＴ２には、患者ＩＤ、当該患者ＩＤに対応する患者の基礎情報テーブルＴ２１へのリンクを示す情報、当該患者ＩＤに対応する患者のベースラインテーブルＴ２２へのリンクを示す情報、当該患者ＩＤに対応する患者のタイムラインテーブルＴ２３へのリンクを示す情報、当該患者ＩＤに対応する患者のアクセス制限テーブルＴ２４へのリンクを示す情報が対応付けられて格納される。
患者ＩＤは、患者の識別情報である。
【００３５】
図５に、基礎情報テーブルＴ２１の例を示す。基礎情報テーブルＴ２１は、患者基礎情報を格納するためのテーブルであり、患者毎に用意される。基礎情報テーブルＴ２１には、患者の氏名、性別、生年月日、住所、電話番号等が格納される。
【００３６】
図６に、ベースラインテーブルＴ２２の例を示す。ベースラインテーブルＴ２２は、患者の基準情報を格納するためのテーブルであり、患者毎に用意される。ベースラインテーブルＴ２２には、基準情報の項目名、内容、ファイルパス、基準情報を登録した使用者の使用者ＩＤ、基準情報を登録した使用者の属性、登録日時が対応付けられて格納される。基準情報が文字・数字で表される情報（以下、文字・数字情報という。）である場合には、基準情報の内容（文字・数字）が「内容」フィールドに格納される。一方、基準情報がファイル形式の情報（以下、ファイル情報という。）である場合には、ファイル格納部１６２におけるファイルの格納先を示す情報が「ファイルパス」フィールドに格納される。
なお、基礎情報テーブルＴ２１に格納される患者基礎情報が、ベースラインテーブルＴ２２に格納される基準情報に含まれることとしてもよい。
【００３７】
図７に、タイムラインテーブルＴ２３の例を示す。タイムラインテーブルＴ２３は、患者の時系列情報を格納するためのテーブルであり、患者毎に用意される。タイムラインテーブルＴ２３には、時系列情報の項目名、内容、ファイルパス、時系列情報を登録した使用者の使用者ＩＤ、時系列情報を登録した使用者の属性、登録日時が対応付けられて格納される。時系列情報が文字・数字情報である場合には、時系列情報の内容（文字・数字）が「内容」フィールドに格納される。一方、時系列情報がファイル情報である場合には、ファイル格納部１６２におけるファイルの格納先を示す情報が「ファイルパス」フィールドに格納される。
【００３８】
図８に、アクセス制限テーブルＴ２４の例を示す。アクセス制限テーブルＴ２４は、患者情報に対するアクセス制限を定めたテーブルであり、患者毎に用意される。アクセス制限テーブルＴ２４には、「アクセス可能使用者」フィールド、「アクセス範囲制限」としての「患者・家族」フィールド、「看護・介護」フィールド、「医療」フィールドが含まれる。
「アクセス可能使用者」フィールドには、対象患者の患者情報にアクセス可能な使用者の使用者ＩＤが格納される。アクセス可能使用者には、対象患者の在宅療養に携わるチームを構成する複数のメンバーとして、医師、看護師、訪問介護員、患者本人、患者の家族等が含まれる。
「アクセス範囲制限」には、使用者（参照者）の属性毎に、アクセス可能な患者情報の登録者属性が定められている。
具体的に、「患者・家族」フィールドには、属性が「患者・家族」である使用者がアクセス可能な患者情報の登録者属性（患者・家族／看護・介護／医療）が定められている。
「看護・介護」フィールドには、属性が「看護・介護」である使用者がアクセス可能な患者情報の登録者属性（患者・家族／看護・介護／医療）が定められている。
「医療」フィールドには、属性が「医療」である使用者がアクセス可能な患者情報の登録者属性（患者・家族／看護・介護／医療）が定められている。
【００３９】
アクセス制限テーブルＴ２４には、患者情報テーブルＴ２においてアクセス制限テーブルＴ２４と対応付けられている患者（患者ＩＤ）の患者情報に対するアクセス可否を示す情報（アクセス範囲制限）が、属性毎に対応付けられている。すなわち、患者情報テーブルＴ２及びアクセス制限テーブルＴ２４を記憶する記憶部１６は、第３記憶手段として機能する。
【００４０】
ファイル格納部１６２には、患者情報のうち、文書、写真、画像（レントゲン等）等のファイル情報が格納される。
図９に、ファイル格納部１６２におけるフォルダー構成を示す。
ファイル格納部１６２には、登録された患者毎に、患者専用フォルダーＦ１，Ｆ２，・・・が作成され、各患者専用フォルダーＦ１，Ｆ２，・・・の下位階層には、ベースラインフォルダーとタイムラインフォルダーとが作成される。ベースラインフォルダーには、患者情報のうち、基準情報に分類される患者情報のファイルが格納される。タイムラインフォルダーには、患者情報のうち、時系列情報に分類される患者情報のファイルが格納される。さらに、ベースラインフォルダーやタイムラインフォルダーの下位階層に、情報種別毎のフォルダーが作成される。
【００４１】
図１０に、登録者（患者情報を登録する使用者）の属性毎に登録する可能性のある患者情報の例を示す。図１０では、患者情報が基準情報（ベースライン情報）又は時系列情報（タイムライン情報）に分類されるとともに、さらに、文字・数字情報であるか、ファイル情報であるかという点でも分類されている。また、図１０では、患者基礎情報がベースライン情報に含まれるものとして扱っている。
【００４２】
制御部１１は、使用者端末２０において、各使用者に対応するログインアカウント（使用者ＩＤ・パスワード）からデータ管理装置１０にアクセスがあった場合に、記憶部１６の使用者管理テーブルＴ１を参照して、予め登録されている使用者であるか否かを判断する。制御部１１は、使用者端末２０において入力された使用者ＩＤ及びパスワードの組み合わせが、使用者管理テーブルＴ１に登録されている場合には、この使用者ＩＤに対応する使用者に、在宅療養連携システム１００における在宅療養連携サービスを提供する。
【００４３】
制御部１１は、記憶部１６から対象患者の患者情報と当該患者情報に対応付けられている属性とを取得する。具体的には、制御部１１は、患者情報テーブルＴ２を参照して、対象患者の患者ＩＤに対応付けられたベースラインテーブルＴ２２及びタイムラインテーブルＴ２３を特定する。そして、制御部１１は、対象患者の基準情報については、特定されたベースラインテーブルＴ２２を参照して、項目毎に、内容又はファイルパスと、属性と、を取得し、ファイル情報の場合には、ファイルパスに基づいてファイル格納部１６２からファイルを取得する。また、制御部１１は、対象患者の時系列情報については、特定されたタイムラインテーブルＴ２３を参照して、項目毎に、内容又はファイルパスと、属性と、登録日時と、を取得し、ファイル情報の場合には、ファイルパスに基づいてファイル格納部１６２からファイルを取得する。
【００４４】
制御部１１は、対象患者の患者情報を、属性毎に基準情報と時系列情報とに領域を分割して、使用者端末２０の表示部２３の１画面内に表示させるための表示用データを生成する。
【００４５】
この際、制御部１１は、在宅療養連携システム１００を使用中の使用者の属性を使用者管理テーブルＴ１から取得し、取得された属性に対応する対象患者のアクセス可否を示す情報（アクセス範囲制限）を、対象患者の患者ＩＤに対応付けられたアクセス制限テーブルＴ２４から取得し、取得されたアクセス可否を示す情報に基づいて、使用者端末２０の表示部２３に表示させる内容を制限する。
【００４６】
また、制御部１１は、対象患者の時系列情報の有無を時間軸に沿って表示させるための表示用データを生成する。具体的には、制御部１１は、対象患者の患者ＩＤに対応付けられたタイムラインテーブルＴ２３から取得した項目名及び登録日時に基づいて、項目毎に、時間軸に沿って時系列情報があることを示すマークを、登録日時に対応する位置に配置する。
【００４７】
制御部１１は、使用者による使用者端末２０からの操作に応じて、１画面内の基準情報が表示される領域と時系列情報が表示される領域の表示サイズを変更する。すなわち、制御部１１は、変更手段として機能する。
また、制御部１１は、使用者による使用者端末２０からの操作に応じて、１画面内の属性毎の領域の表示サイズを変更する。すなわち、制御部１１は、第２変更手段として機能する。
【００４８】
〔使用者端末の構成〕
図１１に、使用者端末２０の機能的構成を示す。
図１１に示すように、使用者端末２０は、制御部２１、操作部２２、表示部２３、通信部２４、ＲＡＭ２５、記憶部２６等を備えて構成されており、各部はバス２７により接続されている。
【００４９】
制御部２１は、ＣＰＵ等から構成され、使用者端末２０の各部の処理動作を統括的に制御する。具体的には、ＣＰＵは、操作部２２から入力される操作信号又は通信部２４により受信される指示信号に応じて、記憶部２６に記憶されている各種処理プログラムを読み出してＲＡＭ２５に展開し、当該プログラムとの協働により各種処理を行う。
【００５０】
操作部２２は、カーソルキー、文字入力キー及び各種機能キー等を備えたキーボードと、マウス等のポインティングデバイスを備えて構成され、キーボードに対するキー操作やマウス操作により入力された操作信号を制御部２１に出力する。また、操作部２２が、表示部２３に積層されたタッチパネルにより構成され、操作者の指等によるタッチ操作の位置に応じた操作信号を制御部２１に出力することとしてもよい。
【００５１】
表示部２３は、ＬＣＤ等のモニターを備えて構成されており、制御部２１から入力される表示信号の指示に従って、各種画面を表示する。例えば、表示部２３は、データ管理装置１０から受信した各種Ｗｅｂ画面の表示用データに基づいて各種Ｗｅｂ画面を表示する。
【００５２】
通信部２４は、ネットワークインターフェース等により構成され、ＬＡＮ、ＷＡＮ、インターネット等の通信ネットワークＮを介して接続された外部機器との間でデータの送受信を行う。また、通信部２４は、携帯電話回線等を用いて無線通信を行い、通信ネットワークＮを介して接続されたデータ管理装置１０等の外部機器との間でデータの送受信を行うものであってもよい。
【００５３】
ＲＡＭ２５は、制御部２１により実行制御される各種処理において、記憶部２６から読み出された各種プログラム、入力若しくは出力データ及びパラメーター等を一時的に記憶するワークエリアを形成する。
【００５４】
記憶部２６は、ＨＤＤや半導体の不揮発性メモリー等により構成され、各種処理プログラム、当該プログラムの実行に必要なパラメーターやファイル等を記憶している。例えば、記憶部２６には、Ｗｅｂブラウザーを実現するためのＷｅｂブラウザープログラム等が記憶されている。
【００５５】
〔在宅療養連携システムにおける動作〕
次に、在宅療養連携システム１００における動作について説明する。
【００５６】
図１２は、在宅療養連携システム１００内のデータ管理装置１０と使用者端末２０とにより実行される患者登録処理を示すラダーチャートである。この処理は、在宅療養に関わる患者を登録する際に実行される処理である。データ管理装置１０における処理は、制御部１１と記憶部１６に記憶されているプログラムとの協働によるソフトウェア処理によって実現され、使用者端末２０における処理は、制御部２１と記憶部２６に記憶されているプログラムとの協働によるソフトウェア処理によって実現される。
【００５７】
まず、使用者端末２０において、操作部２２によりＷｅｂブラウザー上からデータ管理装置１０にアクセスするためのＵＲＬが入力されると、入力されたＵＲＬが通信部２４によりデータ管理装置１０に送信される。
【００５８】
データ管理装置１０では、通信部１４により使用者端末２０からデータ管理装置１０にアクセスするためのＵＲＬが受信されると、使用者端末２０に対し、ログイン画面を表示するための表示用データが送信される。なお、データ管理装置１０のＷｅｂサーバー機能により使用者端末２０に送信されるログイン画面をはじめとする各種Ｗｅｂ画面の表示用データには、ＨＴＭＬ、スタイルシート、画像データ、使用者端末２０で所定の処理を実行させるためのスクリプト等が含まれる。
【００５９】
使用者端末２０では、通信部２４によりログイン画面の表示用データが受信されると、表示部２３にログイン画面が表示される。ログイン画面には、使用者ＩＤ及びパスワードの入力欄が含まれる。ログイン画面において、操作部２２からの操作により、使用者ＩＤ及びパスワードが入力されると、入力された使用者ＩＤ及びパスワードが通信部２４によりデータ管理装置１０に送信される（ステップＳ１）。
【００６０】
データ管理装置１０では、通信部１４により使用者ＩＤ及びパスワードが受信されると、使用者認証が行われる（ステップＳ２）。具体的には、図３に示す使用者管理テーブルＴ１から、受信された使用者ＩＤと一致するレコードが検索され、検索されたレコードに含まれるパスワードと受信されたパスワードが一致する場合には、使用者認証が成功したと判断される。使用者認証が成功すると、使用者端末２０のＷｅｂブラウザーにおける操作に従って在宅療養連携サービスが提供される。一方、受信された使用者ＩＤが使用者管理テーブルＴ１にない場合、又は、検索されたレコードのパスワードと受信されたパスワードが一致しない場合には、使用者認証は失敗したと判断される。
【００６１】
次に、使用者端末２０において、操作部２２からの操作により、患者の登録が指示されると、患者登録指示が通信部２４によりデータ管理装置１０に送信される（ステップＳ３）。
データ管理装置１０では、通信部１４により使用者端末２０から患者登録指示が受信されると、使用者端末２０に対し、患者登録画面を表示するための表示用データが送信される。
【００６２】
使用者端末２０では、通信部２４により患者登録画面の表示用データが受信されると、表示部２３に患者登録画面が表示される（ステップＳ４）。患者登録画面には、患者基礎情報（患者の氏名、性別、生年月日、住所、電話番号等）の入力欄が含まれる。患者登録画面において、操作部２２からの操作により、登録対象患者の患者基礎情報が入力されると、入力された患者基礎情報が通信部２４によりデータ管理装置１０に送信される（ステップＳ５）。
【００６３】
データ管理装置１０では、通信部１４により患者基礎情報が取得されると（ステップＳ６）、制御部１１により、医療情報ＤＢ１６１の基礎情報テーブルＴ２１が参照され、同一患者の登録があるか否かが判断される（ステップＳ７）。
同一患者の登録がある場合には（ステップＳ７；ＹＥＳ）、そのまま患者登録処理が終了する。
【００６４】
ステップＳ７において、同一患者の登録がない場合には（ステップＳ７；ＮＯ）、制御部１１により、医療情報ＤＢ１６１の患者情報テーブルＴ２に患者が登録される（ステップＳ８）。具体的には、制御部１１により、患者情報テーブルＴ２に新規のレコードが追加され、新たに生成された患者ＩＤが格納される。そして、制御部１１により、新たに登録される患者の基礎情報テーブルＴ２１、ベースラインテーブルＴ２２、タイムラインテーブルＴ２３、アクセス制限テーブルＴ２４が生成され、各テーブルＴ２１〜Ｔ２４へのリンクを示す情報が、患者ＩＤと対応付けられて患者情報テーブルＴ２に格納される。また、使用者端末２０から入力された患者基礎情報は、登録対象患者の基礎情報テーブルＴ２１に格納される。
【００６５】
アクセス制限テーブルＴ２４により定められるアクセス制限については、患者登録処理時に定めることとしてもよいが、患者登録処理後に、医療関係者等によって設定されることとしてもよい。
【００６６】
次に、データ管理装置１０では、制御部１１により、ファイル格納部１６２に新たに登録される患者専用のフォルダーが作成され、患者専用のフォルダーの下位階層にベースラインフォルダー及びタイムラインフォルダーが作成される（ステップＳ９）。
【００６７】
次に、通信部１４により、使用者端末２０に対し、患者登録結果（成功・失敗）を表示するための表示用データが送信される。
使用者端末２０では、通信部２４により患者登録結果の表示用データが受信されると、表示部２３に患者登録結果が表示される（ステップＳ１０）。
以上で、患者登録処理が終了する。
【００６８】
図１３は、在宅療養連携システム１００内のデータ管理装置１０と使用者端末２０とにより実行される患者情報アップロード処理を示すラダーチャートである。この処理は、患者情報を登録する際に実行される処理である。データ管理装置１０における処理は、制御部１１と記憶部１６に記憶されているプログラムとの協働によるソフトウェア処理によって実現され、使用者端末２０における処理は、制御部２１と記憶部２６に記憶されているプログラムとの協働によるソフトウェア処理によって実現される。
【００６９】
例えば、患者が病院から退院する際には、紹介状、退院サマリー等がアップロードされる。また、在宅療養開始後には、訪問診療、看護、介護等によって日々生成される情報がアップロードされ、蓄積されていく。
【００７０】
ステップＳ１１及びステップＳ１２の処理については、図１２のステップＳ１及びステップＳ２の処理と同様であるため、説明を省略する。
【００７１】
次に、使用者端末２０において、操作部２２からの操作により、患者の選択が指示されると、患者選択指示が通信部２４によりデータ管理装置１０に送信される（ステップＳ１３）。
データ管理装置１０では、通信部１４により使用者端末２０から患者選択指示が受信されると、使用者端末２０に対し、患者リスト画面を表示するための表示用データが送信される。
【００７２】
使用者端末２０では、通信部２４により患者リスト画面の表示用データが受信されると、表示部２３に患者リスト画面が表示される（ステップＳ１４）。
【００７３】
図１４に、患者リスト画面２３１の表示例を示す。患者リスト画面２３１には、患者の一覧が含まれ、１患者の情報が１行として表示されている。患者リスト画面２３１には、患者毎に、患者氏名３１、ファイルアイコン３２、スケジュールアイコン３３、詳細ボタン３４等が表示されている。
操作部２２からの操作により、ファイルアイコン３２をクリックすると、操作されたファイルアイコン３２に対応する患者のファイル管理画面２３２（図１５参照）が表示される。
操作部２２からの操作により、スケジュールアイコン３３をクリックすると、操作されたスケジュールアイコン３３に対応する患者に関するスケジュールを管理する画面が表示される。
操作部２２からの操作により、詳細ボタン３４をクリックすると、操作された詳細ボタン３４に対応する患者の患者情報のうち、文字・数字情報を入力するための編集画面２３３（図１６参照）が表示される。
【００７４】
患者リスト画面２３１において、操作されたファイルアイコン３２又は詳細ボタン３４に対応する患者が、患者情報が登録される対象患者となる。
【００７５】
次に、使用者端末２０において、操作部２２からの操作により、患者情報のアップロードが指示されると、患者情報のアップロード指示が通信部２４によりデータ管理装置１０に送信される（ステップＳ１５）。
データ管理装置１０では、通信部１４により使用者端末２０から患者情報のアップロード指示が受信されると、使用者端末２０に対し、アップロード用画面を表示するための表示用データが送信される。
【００７６】
使用者端末２０では、通信部２４によりアップロード用画面の表示用データが受信されると、表示部２３にアップロード用画面が表示される（ステップＳ１６）。
【００７７】
ファイル情報を登録する際には、アップロード用画面として、図１５に示すファイル管理画面２３２が表示される。ファイル管理画面２３２には、フォルダー表示欄４１、ファイル指定欄４２が含まれる。
フォルダー表示欄４１には、ファイル格納部１６２における対象患者の患者専用フォルダーの下位階層のフォルダー構成が表示される。操作部２２からの操作により、フォルダー上にマウスポインターを合わせて、マウスの左ボタンをクリックすると、フォルダーが選択された状態となる。また、操作部２２からの操作により、フォルダー上にマウスポインターを合わせて、マウスの右ボタンをクリックすると、メニューが表示される。ベースラインフォルダー、タイムラインフォルダー上でマウスの右ボタンをクリックし、表示されるメニューから新しいフォルダーの作成が可能となっている。
操作部２２からの操作により、表示部２３において、別画面に表示されているファイルの中からアップロード対象のファイルをドラッグし、ファイル指定欄４２にドロップすることで、フォルダー表示欄４１で選択されているフォルダー内に、ドロップされたファイルがアップロードされる。フォルダー表示欄４１で選択されたフォルダーに応じて、アップロード対象のファイルが基準情報又は時系列情報のいずれに分類される情報であるかが区別される。
【００７８】
文字・数字情報を登録する際には、アップロード用画面として、図１６に示す編集画面２３３が表示される。編集画面２３３には、患者情報の各項目の入力欄が含まれる。編集画面２３３は、ベースライン入力欄５１、タイムライン入力欄５２を有し、入力欄に応じて、基準情報又は時系列情報のいずれに分類される情報であるかが区別される。各項目に対応する入力欄に情報を入力し、保存ボタン５３を押下することで、入力された情報がデータ管理装置１０にアップロードされる。
【００７９】
使用者端末２０において、操作部２２からの操作により、アップロード用画面上でアップロード操作が行われると（ステップＳ１７）、アップロード対象の患者情報が通信部２４によりデータ管理装置１０に送信される。患者情報がファイル情報の場合には、ファイル管理画面２３２におけるファイルドロップ操作がアップロード操作となる。一方、患者情報が文字・数字情報の場合には、編集画面２３３における各入力欄への情報入力及び保存ボタン５３の押下がアップロード操作となる。
【００８０】
データ管理装置１０では、通信部１４によりアップロード対象の患者情報が取得されると（ステップＳ１８）、制御部１１により、アップロード対象の患者情報が、基準情報又は時系列情報に分類されて、登録者の属性、登録日時と対応付けられて保存される（ステップＳ１９）。具体的には、医療情報ＤＢ１６１の患者情報テーブルＴ２において、アップロードされた患者情報の分類に応じて、対象患者の患者ＩＤに対応付けられたベースラインテーブルＴ２２又はタイムラインテーブルＴ２３が特定され、特定されたベースラインテーブルＴ２２又はタイムラインテーブルＴ２３に患者情報（項目名と内容、又は、項目名とファイルパス）が格納されるとともに、登録者の使用者ＩＤ、登録日時が格納される。また、医療情報ＤＢ１６１の使用者管理テーブルＴ１から、在宅療養連携システム１００を使用中（ログイン中）の使用者の使用者ＩＤに対応する属性が取得され、ベースラインテーブルＴ２２又はタイムラインテーブルＴ２３に対して、登録者の属性が格納される。
なお、ファイル情報については、ファイル格納部１６２の、ファイル管理画面２３２で選択されたフォルダー内（「ファイルパス」が示すファイルの格納先）に保存される。
【００８１】
次に、データ管理装置１０では、通信部１４により、使用者端末２０に対し、アップロード結果（成功・失敗）を表示するための表示用データが送信される。
使用者端末２０では、通信部２４によりアップロード結果の表示用データが受信されると、表示部２３にアップロード結果が表示される（ステップＳ２０）。
以上で、患者情報アップロード処理が終了する。
【００８２】
図１７は、在宅療養連携システム１００内のデータ管理装置１０と使用者端末２０とにより実行される患者情報参照処理を示すラダーチャートである。この処理は、患者情報を参照する際に実行される処理である。データ管理装置１０における処理は、制御部１１と記憶部１６に記憶されているプログラムとの協働によるソフトウェア処理によって実現され、使用者端末２０における処理は、制御部２１と記憶部２６に記憶されているプログラムとの協働によるソフトウェア処理によって実現される。
【００８３】
ステップＳ２１〜ステップＳ２４の処理については、図１３のステップＳ１１〜ステップＳ１４の処理と同様であるため、説明を省略する。
【００８４】
次に、使用者端末２０において、操作部２２からの操作により、患者リスト画面上で参照対象患者の氏名が選択され、患者情報の参照が指示されると、患者情報の参照指示が通信部２４によりデータ管理装置１０に送信される（ステップＳ２５）。
例えば、図１４に示す患者リスト画面２３１において、患者氏名３１のいずれかが選択されると、選択された患者氏名３１に対応する患者情報の参照指示がデータ管理装置１０に送信される。
【００８５】
データ管理装置１０では、通信部１４により患者情報の参照指示が取得されると（ステップＳ２６）、制御部１１により、医療情報ＤＢ１６１の患者情報テーブルＴ２が参照され、参照対象患者の患者ＩＤに対応付けられたアクセス制限テーブルＴ２４が特定される。そして、制御部１１により、参照対象患者のアクセス制限テーブルＴ２４が参照され、アクセス可能使用者にログイン中の使用者の使用者ＩＤが含まれるか否かが判断される（ステップＳ２７）。
アクセス可能使用者にログイン中の使用者の使用者ＩＤが含まれない場合には（ステップＳ２７；ＮＯ）、そのまま患者情報参照処理が終了する。
【００８６】
ステップＳ２７において、参照対象患者のアクセス制限テーブルＴ２４において、アクセス可能使用者にログイン中の使用者の使用者ＩＤが含まれる場合には（ステップＳ２７；ＹＥＳ）、制御部１１により、医療情報ＤＢ１６１の患者情報テーブルＴ２が参照され、参照対象患者の患者ＩＤに対応付けられたベースラインテーブルＴ２２及びタイムラインテーブルＴ２３が特定される。そして、制御部１１により、特定されたベースラインテーブルＴ２２及びタイムラインテーブルＴ２３が参照され、参照対象患者の患者情報（基準情報及び時系列情報）と、当該患者情報を登録した使用者の属性と、が取得される（ステップＳ２８）。具体的には、患者情報が文字・数字情報である場合には、ベースラインテーブルＴ２２又はタイムラインテーブルＴ２３から項目名、内容、登録者の属性が取得される。患者情報がファイル情報である場合には、ベースラインテーブルＴ２２又はタイムラインテーブルＴ２３から項目名、ファイルパス、登録者の属性が取得され、取得されたファイルパスに基づいて、ファイル格納部１６２からファイルが取得される。また、患者情報のうち時系列情報については、タイムラインテーブルＴ２３から登録日時が取得される。
【００８７】
次に、制御部１１により、医療情報ＤＢ１６１の使用者管理テーブルＴ１からログイン中の使用者の使用者ＩＤに対応する属性が取得される（ステップＳ２９）。
【００８８】
次に、制御部１１により、参照対象患者のアクセス制限テーブルＴ２４が参照され、ログイン中の使用者の属性に対応するアクセス範囲制限が取得される（ステップＳ３０）。具体的には、参照対象患者のアクセス制限テーブルＴ２４において、ログイン中の使用者の属性に対応する「患者・家族」フィールド、「看護・介護」フィールド、「医療」フィールドのいずれかから情報が取得される。
【００８９】
次に、制御部１１により、取得されたアクセス範囲制限に基づいて、ステップＳ２８において取得された患者情報のうち、ログイン中の使用者がアクセス可能な範囲に表示内容が制限され、患者情報参照画面を表示するための表示用データが生成される（ステップＳ３１）。そして、この表示用データが通信部２４によりデータ管理装置１０に送信される。
【００９０】
使用者端末２０では、通信部２４により患者情報参照画面の表示用データが受信されると、表示部２３に患者情報参照画面が表示される（ステップＳ３２）。
以上で、患者情報参照処理が終了する。
【００９１】
図１８に、使用者端末２０の表示部２３に表示される患者情報参照画面２３４の表示例を示す。患者情報参照画面２３４には、患者特定情報表示欄６１、患者情報表示欄６２が含まれる。
患者特定情報表示欄６１には、患者を特定するための情報が常に表示される。
患者情報表示欄６２は、上段・中段・下段の３段の領域に分割され、それぞれ、患者・家族領域６３、看護・介護領域６４、医療領域６５が割り当てられる。また、患者情報表示欄６２は、左右の領域に分割され、それぞれ、ベースライン表示領域６６、タイムライン表示領域６７が割り当てられる。
【００９２】
患者・家族領域６３には、「患者・家族」に属する使用者が登録した患者情報が表示される。
看護・介護領域６４には、「看護・介護」に属する使用者が登録した患者情報が表示される。
医療領域６５には、「医療」に属する使用者が登録した患者情報が表示される。
なお、アクセス制限がある場合には、ログイン中の使用者の属性に応じて、アクセスが許可されていない情報については、非表示となる。
【００９３】
ベースライン表示領域６６には、患者が在宅療養を開始した時点における基準情報の各項目が表示される。操作部２２からの操作により、いずれかの項目名がクリックされると、データ管理装置１０では、制御部１１により、その項目名に対応する内容を別画面で表示させるための表示用データが生成される。例えば、ベースライン表示領域６６と患者・家族領域６３とが重なる領域内の「患者基礎情報」という項目名６８がクリックされると、図１９に示す患者基礎情報画面２３５が表示部２３に表示される。患者基礎情報画面２３５には、属性が「患者・家族」である使用者が登録した患者基礎情報が表示される。
ベースライン表示領域６６が、さらに、患者・家族領域６３、看護・介護領域６４、医療領域６５に分割されることで、各属性に属する使用者がどのような情報を登録したかを把握しやすくなる。
【００９４】
タイムライン表示領域６７には、在宅療養、看護、介護で日々生成される時系列情報の項目毎に、時間軸に沿って、対応する日における情報の有無が表示される。時間軸の表示期間や表示開始日は、変更可能である。
具体的には、項目毎に、情報の登録があった日に対応する位置にマークが表示される。操作部２２からの操作により、いずれかのマークがクリックされると、データ管理装置１０では、制御部１１により、マーク位置に対応する項目について、マーク位置に対応する日に登録された情報を表示させるための表示用データが生成される。例えば、タイムライン表示領域６７と医療領域６５とが重なる領域内の「バイタルサイン」という項目の４月２１日に対応するマーク６９がクリックされると、図２０に示すバイタルサイン画面２３６が表示部２３に表示される。バイタルサイン画面２３６には、属性が「医療」である使用者が登録したバイタルサインが表示される。
なお、マークにマウスポインターを合わせた場合に、情報が表示されることとしてもよい。
タイムライン表示領域６７においても、さらに、患者・家族領域６３、看護・介護領域６４、医療領域６５に分割されることで、各属性に属する使用者が何時、どのような情報を登録したかを把握しやすくなる。
【００９５】
また、操作部２２からの操作により、患者・家族領域６３と看護・介護領域６４、看護・介護領域６４と医療領域６５の境界位置を上下に移動させることによって、患者・家族領域６３、看護・介護領域６４、医療領域６５の表示サイズを、調整可能となっている。
また、操作部２２からの操作により、ベースライン表示領域６６とタイムライン表示領域６７の境界位置を左右に移動させることによって、ベースライン表示領域６６、タイムライン表示領域６７の表示サイズを、調整可能となっている。
【００９６】
使用者端末２０における操作により、各領域の境界位置が変更されると、変更された後の境界の座標位置（例えば、各領域の左上の座標と右下の座標等）が通信部２４によりデータ管理装置１０に送信される。
データ管理装置１０では、制御部１１により、変更された後の境界の座標位置が表示用パラメーターとして、調整操作を行った使用者の使用者ＩＤと対応付けられて、医療情報ＤＢ１６１の使用者管理テーブルＴ１に保存される。
【００９７】
これ以降、同一の使用者が在宅療養連携システム１００を使用する際には、使用者管理テーブルＴ１に格納されている表示用パラメーターに従って、患者情報参照画面内の各領域が前回保存された配置で表示される。
【００９８】
以上説明したように、本実施の形態における在宅療養連携システム１００によれば、患者情報を基準情報と時系列情報とに分類し、さらに属性毎に領域を分割して１画面内に表示するので、患者情報の分類や各情報の出所を明らかにしたうえで、患者情報を認識しやすいように表示することができる。
例えば、基準情報と時系列情報とを１画面内に表示することにより、基準情報と時系列情報とで画面遷移を伴うことなく、各情報を短時間で把握することが可能となる。
また、基準情報と時系列情報とを、登録者の属性で分けることにより、例えば、副主治医が登録した情報も主治医が登録した情報と同じ領域に表示されるため、患者情報を参照しやすくなる。
【００９９】
また、在宅療養を開始した時点における情報と、それより後に生成された情報と、で領域を分割して表示するので、在宅患者の患者情報の経過を把握しやすくなる。
【０１００】
また、１画面内の基準情報が表示される領域と時系列情報が表示される領域の表示サイズを変更したり、１画面内の属性毎の領域の表示サイズを変更したりすることで、患者情報を参照する者にとって、見やすい表示に変更することが可能となる。
【０１０１】
また、システムを使用中の使用者の属性に応じて、表示内容を制限することができる。
【０１０２】
なお、上記実施の形態における記述は、本発明に係る患者情報表示システムの例であり、これに限定されるものではない。システムを構成する各装置の細部構成及び細部動作に関しても本発明の趣旨を逸脱することのない範囲で適宜変更可能である。
【０１０３】
例えば、上記実施の形態では、所定の時点として、患者が在宅療養を開始した時点を用いた場合について説明したが、これに限定されるものではない。
また、患者情報参照画面において、属性毎に領域を分割する際の方向、基準情報と時系列情報とで領域を分割する際の方向についても、図示例に限定されない。
【０１０４】
また、上記実施の形態では、患者情報参照処理において、使用者端末２０に参照対象患者の基準情報及び時系列情報が表示される際に、まず項目名又は情報の有無を示すマークを表示し、その内容については別画面で表示することとしたが、患者情報参照画面内に基準情報及び時系列情報の内容を直接表示することとしてもよい。
【０１０５】
また、患者情報参照処理において、使用者端末２０のタイムライン表示領域６７に、対象患者の時系列情報のうち各項目の最新情報のみを表示することとしてもよい。この場合、データ管理装置１０の制御部１１は、対象患者の時系列情報のうち各項目の最新情報のみを使用者端末２０の表示部２３に表示させるための表示用データを生成する。具体的には、制御部１１は、対象患者の時系列情報については、患者情報テーブルＴ２において対象患者の患者ＩＤに対応付けられているタイムラインテーブルＴ２３を特定し、特定されたタイムラインテーブルＴ２３を参照して、項目毎に、登録日時が最新のレコードのみを抽出する。そして、制御部１１は、抽出したレコードに基づいて、各項目の最新情報を表示用データの時系列情報の表示領域に配置する。これにより、患者の最新情報を容易に把握することが可能となる。
【符号の説明】
【０１０６】
１０  データ管理装置
１１  制御部
１４  通信部
１６  記憶部
２０  使用者端末
２１  制御部
２２  操作部
２３  表示部
２４  通信部
２６  記憶部
６３  患者・家族領域
６４  看護・介護領域
６５  医療領域
６６  ベースライン表示領域
６７  タイムライン表示領域
１００  在宅療養連携システム
１６１  医療情報ＤＢ
１６２  ファイル格納部
２３４  患者情報参照画面
Ｎ  通信ネットワーク
Ｔ１  使用者管理テーブル
Ｔ２  患者情報テーブル
Ｔ２１  基礎情報テーブル
Ｔ２２  ベースラインテーブル
Ｔ２３  タイムラインテーブル
Ｔ２４  アクセス制限テーブル
【図１】
0006597492.tif 000002
【図２】
0006597492.tif 000003
【図３】
0006597492.tif 000004
【図４】
0006597492.tif 000005
【図５】
0006597492.tif 000006
【図６】
0006597492.tif 000007
【図７】
0006597492.tif 000008
【図８】
0006597492.tif 000009
【図９】
0006597492.tif 000010
【図１０】
0006597492.tif 000011
【図１１】
0006597492.tif 000012
【図１２】
0006597492.tif 000013
【図１３】
0006597492.tif 000014
【図１４】
0006597492.tif 000015
【図１５】
0006597492.tif 000016
【図１６】
0006597492.tif 000017
【図１７】
0006597492.tif 000018
【図１８】
0006597492.tif 000019
【図１９】
0006597492.tif 000020
【図２０】
0006597492.tif 000021